(57)【要約】アンテナアセンブリは、遠隔からチューニング可能であり、主反射鏡、主反射鏡と関連付けられた副反射鏡、および主反射鏡を照射している送信を副反射鏡を介して受信するか、または主反射鏡への送信を副反射鏡を介して送信するようになっているフィードを備える。副反射鏡は、その外面にわたって配置されてその外面に取り付けられた複数のアクチュエータを備える。アクチュエータの各々は、アクチュエータ位置の変化に応じてそのアクチュエータに隣接した副反射鏡の表面を局所的に変形させるようになっている。【選択図】図１
2017537582.tif 000002
【特許請求の範囲】
【請求項１】
遠隔からチューニング可能なアンテナアセンブリであって、
主反射鏡と、
前記主反射鏡と関連付けられた副反射鏡と、
前記主反射鏡を照射している送信を前記副反射鏡を介して受信するか、または前記主反射鏡への送信を前記副反射鏡を介して送信するようになっているフィードと、
を備え、
前記副反射鏡は、
その外面にわたって配置されてその外面に取り付けられた複数のアクチュエータを備え、前記複数のアクチュエータの各々は、アクチュエータ位置の変化に応じてそのアクチュエータに隣接した前記副反射鏡の表面を局所的に変形させるようになっている、
アンテナアセンブリ。
【請求項２】
前記複数のアクチュエータは、前記副反射鏡の前記外面の選択エリアにわたって間隔を置いて配置された、請求項１に記載のアンテナアセンブリ。
【請求項３】
前記アクチュエータの各々は、制御信号に応答してその位置を変化させるように構成された、請求項１に記載のアンテナアセンブリ。
【請求項４】
前記アンテナアセンブリは、制御ユニットをさらに備え、前記制御ユニットは、
コントローラと、
メモリユニットと、
非一時的記憶ユニットと、
入力／出力ユニットと、
を備える、請求項３に記載のアンテナアセンブリ。
【請求項５】
アンテナアセンブリに用いるための副反射鏡であって、
その外面にわたって配置されてその外面に取り付けられた複数のアクチュエータであって、前記複数のアクチュエータの各々は、アクチュエータ位置の変化に応じてそのアクチュエータに隣接した前記副反射鏡の表面を局所的に変形させるようになっている、複数のアクチュエータと、
前記複数のアクチュエータの各々の前記位置を制御するようになっている制御ユニットと、
を備える、副反射鏡。
【請求項６】
前記複数のアクチュエータは、前記副反射鏡の前記外面の選択エリアにわたって配置された、請求項５に記載の副反射鏡。
【請求項７】
前記制御ユニットは、
コントローラと、
メモリユニットと、
非一時的記憶ユニットと、
入力／出力ユニットと、
を備える、請求項５に記載の副反射鏡。
【請求項８】
前記非一時的記憶ユニットは、前記コントローラによって実行されたときに、前記入力／出力ユニットに前記アクチュエータへの制御信号を提供させる、その上に記憶されたソフトウェアプログラムを有する、請求項７に記載の副反射鏡。
【請求項９】
前記非一時的記憶ユニットに記憶された反射鏡不完全性マップ（ＲＩＭ）をさらに備える、請求項８に記載の副反射鏡。
【請求項１０】
前記フィードに隣接して位置し、レンジ検出器から前記主反射鏡の内面上の選択点までの距離の値を走査し記録して、これらの値を前記非一時的記憶ユニットに記憶するようになっている前記レンジ検出器をさらに備える、請求項４に記載のアンテナアセンブリ。
【請求項１１】
前記複数のアクチュエータは、前記副反射鏡を２つの垂直面の少なくとも１つの内での角度移動で回転中心の周りに移動させるようになっている単一のアクチュエータを備える、請求項１に記載のアンテナアセンブリ。
【請求項１２】
前記単一のアクチュエータは、さらに、前記副反射鏡を前記２つの垂直面の交線と一致する直線軸に沿って前記主反射鏡に近付けるか、またはそれから遠ざけるようになっている、請求項１１に記載のアンテナアセンブリ。
【請求項１３】
前記単一のアクチュエータは、さらに、前記副反射鏡を前記直線軸の周りに回転させるようになっている、請求項１２に記載のアンテナアセンブリ。
【請求項１４】
主反射鏡、副反射鏡およびフィードを備えるアンテナアセンブリをチューニングするための方法であって、前記方法は、
主反射鏡の初期変形マップを受信するステップと、
前記主反射鏡で定常的な送信を受信して、前記フィードで受信された信号を記録するステップと、
前記副反射鏡の外面上に配置されそこで前記副反射鏡の湾曲を、前記フィードで受信された前記信号が最大値に達するまで局所的に変形させるようになっているアクチュエータをアクティブ化し、前記アクチュエータを保持してその状況を記録するステップと、
前記副反射鏡上に配置された前記アクチュエータの各々について前のステップを順次繰り返すステップと、
前記アクチュエータの前記状況を表す値を最大の最大に対するアクチュエータ状況を示すセットで記憶装置に記憶するステップと、
を含む、方法。
【請求項１５】
主反射鏡、副反射鏡およびフィードを備えるアンテナアセンブリをチューニングするための方法であって、前記副反射鏡には、アクティブ化信号に応答して前記副反射鏡の湾曲を局所的に変形させるようになっている複数のアクチュエータが設けられ、前記方法は、
複数の送信センサを前記アンテナアセンブリの送信照射の目標エリアに配備するステップと、
前記アンテナアセンブリからの送信をアクティブ化するステップと、
前記複数のセンサの各々で送信電力のレベルをそれぞれのセンサの位置とともに測定して記録するステップと、
前記記録された値から実際のアンテナアセンブリ照射フットプリント・マップを抽出するステップと、
前記抽出された照射フットプリント・マップを所望のフットプリントと比較するステップと、
前記目標エリアにおける前記アンテナアセンブリによる前記照射の前記フットプリントが前記所望のフットプリントと一致するように前記副反射鏡の前記湾曲を変形させるために、前記アクチュエータのうちの少なくともいくつかにアクティブ化信号を提供するステップと、
を含む、方法。
【発明の詳細な説明】
【技術分野】
【０００１】
アンテナを使用中のデータ通信に対するより広いバンド幅の必要性が絶えず増大している。アンテナのディッシュは、展開問題およびロジスティクスに起因してサイズが幾重にも制限されるという事実による。例えば、アンテナが宇宙空間に配備されるときに、アンテナがそこから展開されることになる宇宙船に収容されるためには、所定の折り畳みサイズに折り畳まれる必要がある。より大きいアンテナ・サイズを達成するための１つの好ましい解決法は、展開可能なアンテナ反射鏡を用いることである。しかしながら、アンテナ反射鏡を折り畳むかまたは広げる多くのケースにおいて、および束縛されないいくつかのケースにおいてさえ、それらの折り畳まれてその後に展開された反射鏡は、変形されて不完全であり、結果として、不正確なアンテナ照射フットプリント、バンド幅の劣化などのような課題を生じる。
【背景技術】
【０００２】
かかる課題は、アンテナの展開後に注意を要するが、しかし、いくつかのケースでは、アンテナのキャリブレーションおよび／または展開欠陥の補正のためにアンテナに到達することは、容易に、またはまったくできない。
【０００３】
従って、展開されたアンテナの性能向上のために改善されたシステムおよび方法が長らく望まれている。
【発明の概要】
【課題を解決するための手段】
【０００４】
遠隔からチューニング可能であり、主反射鏡、主反射鏡と関連付けられた副反射鏡、および主反射鏡を副反射鏡を介して照射しているか、または主反射鏡への送信を副反射鏡を介して送信するためのフィードを備える、アンテナアセンブリが呈示される。副反射鏡は、その外面にわたって配置されてその外面に取り付けられた複数のアクチュエータを備え、複数のアクチュエータの各々は、アクチュエータ位置の変化に応じてそのアクチュエータに隣接した副反射鏡の表面を局所的に変形させるようになっている。
【０００５】
いくつかの実施形態において、アンテナアセンブリにおける複数のアクチュエータは、副反射鏡の外面の選択エリアにわたって互いに均等に間隔を置いて配置される。
【０００６】
いくつかの追加の実施形態では、アンテナアセンブリにおける各々のアクチュエータは、制御信号に応答してその位置を変化させるように構成される。
【０００７】
なおさらなる実施形態では、アンテナアセンブリは、制御ユニットをさらに備える。制御ユニットは、コントローラ、メモリユニット、非一時的記憶ユニットおよび入力／出力ユニットを備える。
【０００８】
いくつかの実施形態において、アンテナアセンブリは、フィードに隣接して位置し、レンジ検出器から主反射鏡の内面上の選択点までの距離の値を走査し記録して、これらの値を非一時的記憶ユニットに記憶するようになっているレンジ検出器をさらに備える。
【０００９】
アンテナアセンブリに用いるための副反射鏡が開示され、副反射鏡は、その外面にわたって配置されてその外面に取り付けられた複数のアクチュエータであって、複数のアクチュエータの各々がアクチュエータ位置の変化に応じてそのアクチュエータに隣接した副反射鏡の表面を局所的に変形させるようになっている複数のアクチュエータ、および複数のアクチュエータの各々の位置を制御するようになっている制御ユニットを備える。
【００１０】
いくつかの実施形態によれば、複数のアクチュエータは、副反射鏡において副反射鏡の外面の選択エリアにわたって互いに均等に間隔を置いて配置される。
【００１１】
さらなる実施形態によれば、副反射鏡の制御ユニットは、コントローラ、メモリユニット、非一時的記憶ユニットおよび入力／出力ユニットを備える。
【００１２】
なおさらなる実施形態によれば、非一時的記憶ユニットは、コントローラによって実行されたときに、入力／出力ユニットにアクチュエータへの制御信号を提供させるその上に記憶されたソフトウェアプログラムを有する。
【００１３】
またさらなる実施形態によれば、副反射鏡は、非一時的記憶ユニットに記憶された反射鏡不完全性マップ（ＲＩＭ：Ｒｅｆｌｅｃｔｏｒ  Ｉｍｐｅｒｆｅｃｔｉｏｎｓ  Ｍａｐ）をさらに備える。
【００１４】
なおさらなる実施形態によれば、アンテナアセンブリにおける複数のアクチュエータは、副反射鏡を２つの垂直面の少なくとも１つの内での角度移動で回転中心の周りに移動させるようになっている単一のアクチュエータを備える。単一のアクチュエータは、さらに、副反射鏡を２つの垂直面の交線と一致する直線軸に沿って主反射鏡に近付けるか、またはそれから遠ざけるようになっている。いくつかの実施形態によれば、単一のアクチュエータは、さらに、副反射鏡をその直線軸の周りに回転させるようになっている。
【００１５】
主反射鏡、副反射鏡およびフィードを備えるアンテナアセンブリをチューニングするための方法が開示される。本方法は、主反射鏡の初期変形マップを受信するステップと、主反射鏡で定常的な送信を受信して、フィードで受信された信号を記録するステップと、副反射鏡の外面上に配置されそこで副反射鏡の湾曲をフィードで受信された信号が最大値に達するまで局所的に変形させるようになっているアクチュエータをアクティブ化し、アクチュエータを保持してその状況を記録するステップと、副反射鏡上に配置された各々のアクチュエータについて前のステップを順次繰り返すステップと、アクチュエータの状況を表す値を最大の最大に対するアクチュエータ状況を示すセットで記憶装置に記憶するステップと、を備える。
【００１６】
アンテナアセンブリをチューニングするための方法が開示され、アンテナアセンブリは、主反射鏡、副反射鏡およびフィードを備え、副反射鏡には、アクティブ化信号に応答して副反射鏡の湾曲を局所的に変形させるようになっている複数のアクチュエータが設けられ、本方法は、複数の送信センサをアンテナアセンブリの送信照射（ｔｒａｎｓｍｉｓｓｉｏｎ  ｉｌｌｕｍｉｎａｔｉｏｎ）の目標エリアに配備するステップと、アンテナアセンブリからの送信をアクティブ化するステップと、複数のセンサの各々で送信電力のレベルをそれぞれのセンサの位置とともに測定して記録するステップと、記録された値から実際のアンテナアセンブリ照射フットプリント・マップを抽出するステップと、抽出された照射フットプリント・マップを所望のフットプリントと比較するステップと、目標エリアにおけるアンテナアセンブリによる照射のフットプリントが所望のフットプリントと一致するように副反射鏡の湾曲を変形させるために、アクティブ化信号をアクチュエータのうちの少なくともいくつかに提供するステップとを備える。
【００１７】
本発明のこれらの、追加的な、および／または他の態様および／または利点が以下の詳細な記載に示され、詳細な記載からおそらく推測可能であるか、および／または本発明の実施によって学習可能である。
【００１８】
発明と見なされる本主題が本明細書の結論部分で特に指摘されて明確に請求される。しかしながら、本発明は、添付図面とともに読まれたときに、以下の詳細な記載への参照によって、その構成および動作の方法の両方、ならびに目的、特徴、および利点が最も良く理解されるであろう。
【図面の簡単な説明】
【００１９】
【図１】アンテナシステムの構成要素を示す。
【図２Ａ】アンテナシステムの要素に当たる送信波の伝搬経路を示す。
【図２Ｂ】主反射鏡が完全なパラボラ反射鏡として形成されていないアンテナアセンブリの性能を概略的に示す。
【図２Ｃ】本発明の実施形態による、その反射鏡の湾曲を動的に変化させるようになっている副反射鏡システムの概略斜視図である。
【図２Ｄ】本発明の実施形態による、図２Ｃの副反射鏡システムが反射の方向に局所的に影響を与える方法を概略的に示す。
【図２Ｅ】本発明の実施形態による、副反射鏡２００の後側の一組のアクチュエータの配備を概略的に示す。
【図２Ｆ】本発明の実施形態による、副反射鏡に局所的な変形を生じさせるためのアクチュエータの動作を概略的に示す。
【図２Ｇ】本発明の実施形態による、副反射鏡に局所的な変形を生じさせるためのアクチュエータの動作を概略的に示す。
【図３Ａ】本発明の実施形態による、遠隔的に動作／制御通信チャネルがないアダプティブアンテナシステムを概略的に示す。
【図３Ｂ】本発明の実施形態による、かかる通信チャネルがあるアダプティブアンテナシステムを概略的に示す。
【図４Ａ】本発明の実施形態による、目標エリア上のアンテナ照射のフットプリントの例を概略的に呈示する。
【図４Ｂ】本発明の実施形態による、アンテナアセンブリの非修正フットプリントおよび修正フットプリントを概略的に呈示する。
【図４Ｃ】本発明の実施形態による、主反射鏡の実際の湾曲をマッピングするためのレンジ検出器デバイスをもつアンテナアセンブリを概略的に呈示する。
【図４Ｄ】本発明の実施形態による、性能パラメータを変化させるために遠隔的にチューニングすることが可能なアンテナアセンブリを概略的に呈示する。
【図５】本発明の実施形態による、アンテナでの受信信号に基づいて主反射鏡の変形を補償するために副反射鏡のアクチュエータを操作するステップを呈示するフロー図である。
【図６】本発明の実施形態による、副反射鏡のアクチュエータを操作するステップを呈示するフロー図である。
【発明を実施するための形態】
【００２０】
説明を簡潔かつ明解にするために、図中に示される要素が必ずしも縮尺通りに描かれなかったことが理解されよう。例えば、明確にするためにいくつかの要素の寸法が他の要素に対して誇張されることもある。さらにまた、適切と考えられるところでは、対応または類似する要素を示すために複数の図の間で参照数字が繰り返されることもある。
【００２１】
以下の詳細な記載では、本発明の十分な理解を提供するために多くの具体的な詳細が示される。しかしながら、本発明は、これらの具体的な詳細を伴わずに実施されてもよいことが当業者に理解されるであろう。他の事例では、本発明を曖昧にしないために、よく知られた方法、手順、および構成要素は詳細に記載されなかった。
【００２２】
語句「少なくとも１つ」、「１つ以上」、ならびに「および／または」は、運用が連言的でも選言的でもある非限定的な表現である。例えば、表現「Ａ、ＢおよびＣのうちの少なくとも１つ」、「Ａ、ＢまたはＣのうちの少なくとも１つ」、「Ａ、Ｂ、およびＣのうちの１つ以上」、「Ａ、Ｂ、またはＣのうちの１つ以上」ならびに「Ａ、Ｂおよび／またはＣ」の各々は、Ａだけ、Ｂだけ、Ｃだけ、ＡおよびＢともに、ＡおよびＣともに、ＢおよびＣともに、あるいはＡ、ＢおよびＣともにを意味する。用語「複数」は、以下では、任意の正整数（例えば、１、５、または１０）を指す。
【００２３】
用語「フットプリント」は、以下では、アンテナのトランスポンダが目標エリア（受信かまたは送信のいずれか）のカバレッジを提供して、それぞれ目標エリアで受信されるか、または目標エリアから送信される信号強度が十分である遠隔エリアを指す。
【００２４】
用語「変形された」は、以下では、任意の欠陥、ミスアラインメントを指すか、あるいは正常、自然もしくは好ましい形状または形態を有さないことを指す。
【００２５】
用語「アンテナアセンブリ・チューニング」は、以下では、アンテナの性能に影響を及ぼすために、例えば、その利得、その動作バンド幅、そのフットプリントなどに影響を及ぼすか、またはそれらを変化させるためにアンテナに対してとられる行動または手段を指す。
【００２６】
本発明の実施形態は、この点で限定されないが、例えば、「処理」、「計算」、「算出」、「決定」、「確立」、「解析」「チェック」などのような用語を利用した考察は、コンピュータのレジスタおよび／またはメモリ内の物理的（例えば、電子的）量として表されたデータを、コンピュータのレジスタおよび／またはメモリ、あるいは、演算および／または処理を行うための命令を記憶しうる他の情報非一時的記憶媒体内の物理的量として同様に表された他のデータへ、操作および／または変換するコンピュータ、コンピューティングプラットフォーム、コンピューティングシステム、または他の電子コンピューティングデバイスの演算（単数または複数）および／または処理（単数または複数）を参照してもよい。用語、セットは、本明細書に用いられるときに、１つ以上の項目を含んでもよい。明示的に述べられない限り、本明細書に記載される方法の実施形態は、特定の順序またはシーケンスには限定されない。加えて、記載される方法の実施形態またはそれらの要素のいくつかは、同時に、同じ時点で、または一斉に生じるか、または行うことができる。
【００２７】
通常、図１に示されるように、アンテナアセンブリ１００は、主反射鏡１０１およびフィードアセンブリを備えてもよい。フィードアセンブリは、副反射鏡１０２およびフィード要素１０３をさらに備えてもよい。遠隔位置から（図面では送信伝搬ラインによって概略的に示され、送信ラインとも表される）送信信号、ラインＴＲＡのような典型的に平行な放射ラインを受信するには、主反射鏡１０１の方へ送られた送信を主反射鏡が集中させる必要がある。主反射鏡１０１は、それが副反射鏡１０２を照射することになるように、入射する送信を反射して（送信ラインＴＲＢ）、それらを副反射鏡１０２の方へ収束させることになろう。次には副反射鏡１０２がこれらの送信を反射して（送信ラインＴＲＣ）、それらをなおさらにフィード要素１０３の方へ収束させることになろう。アンテナが送信しているときにも同様のことが行われる。フィード要素１０３が送信ビームを副反射鏡１０２の方へ放射して、次には副反射鏡１０２がそれらの信号をより広いビームで主反射鏡１０１の方へ反射し、次には主反射鏡１０１がそれらの信号を（理論的にはほぼ平行な送信ラインで）遠隔位置の方へ反射して収束させる。
【００２８】
多くのケースで、アンテナアセンブリにおける主反射鏡は、そのサイズおよび利用可能な輸送手段に起因して、設置サイトへ輸送されるときに折り畳まれる必要があるので、オンサイトで展開される必要がある。折り畳まれた主アンテナが設置サイトに到達したときに、そのアンテナは、折り畳まれるかまたは取り外された位置から、展開されるかまたは組み立てられることになろう。輸送の困難さに起因して、および／または、展開および／または組み立て中に、主アンテナの物理的および／または電気的特性にいくらかの欠陥もしくは不完全性が生じるか、あるいは顕現することがある。それらの多くのケースで、展開が僻地または宇宙空間で発生するときなど、オンサイト補正、修正または交換用アンテナ反射鏡の注文は、まったく不可能でなくても、ほとんど不可能なことがある。結果として、欠陥のあるアンテナの性能が計画された性能に比べて劣化し、アンテナ利得の低下、送信／受信バンド幅の低下などを生じかねない。
【００２９】
本発明の実施形態によるシステムおよび方法は、副反射鏡、例えば、副反射鏡１０２の反射表面の形状を適合させるかおよび／または操作することによって、主反射鏡の欠陥および不完全性を補償可能にすることができる。これは、アンテナ性能を実質的に欠陥のないアンテナの性能へ回復させて、主反射鏡の使用を、その欠陥および不完全性にも係わらず、継続することを可能にできる。
【００３０】
完全な形状の主アンテナ反射鏡（すなわち、欠陥がない）を適切な形状の副反射鏡ならびに正確に位置する副反射鏡およびフィードとともに有するアンテナは、予測された方向から主アンテナ反射鏡に当たる送信が、適正方向（適正インバウンド送信方向とも表される）から主アンテナ反射鏡に当たる送信ラインごとに、副反射鏡の方へ、そして副反射鏡からフィードへ反射されることになろう。アンテナシステム１００の要素に当たる送信波の伝搬経路を示す、図２Ａが参照される。アンテナシステム１００は、主反射鏡１０１、副反射鏡１０２およびフィードユニット１０３を備える。上記のように、主反射鏡１０１は、互いに平行に主反射鏡１０１に当たり入ってくる送信ライン、例えば、ライン２０１を副反射鏡１０２の方へ集中させるようになっている完全なパラボラ反射鏡として形成されてもよい。副反射鏡１０２は、主反射鏡１０１から来る送信ライン、例えば、送信ライン２０２を送信焦点に位置するフィード１０３の方へ集中させるようになっており、従って、主反射鏡１０１に当たる実質的にすべての送信エネルギーを受信するようになっている空間的に凹状の反射鏡として形成されてもよい。
【００３１】
次に、主反射鏡１０１Ａが完全なパラボラ（または他の完全な形状の反射鏡）として形成されず、形状または機械的欠陥および不完全性をもつアンテナアセンブリ１００Ａの性能を概略的に示す、図２Ｂが参照される。わかるように、主反射鏡１０１Ａが欠陥を有する点２０４でこの反射鏡に当たる送信ライン２０１は、図２Ａの副反射鏡１０２と同様の、副反射鏡１０２の方へ送信ライン２０３を反射する。しかしながら、点２０４における不完全性に起因して、反射された送信ラインは、フィード１０３へ向かうその反射送信ライン２０３Ａが所望の方向からずれるように副反射鏡１０２に当たり、結果として、そのエネルギーのいくらかまたはすべてがフィード１０３を逸しかねない。一般に、主反射鏡１０３上の欠陥および不完全性は、アンテナアセンブリ１００Ａが送信を受信するときのフィードでの全送信エネルギーの減少、バンド幅を減少させるクロストーク、送信エネルギーおよびバンド幅を減少させる交差偏波などで表現できる。
【００３２】
上記のように、アンテナアセンブリの主反射鏡、例えば、主反射鏡１０１は、輸送の衝撃または折り畳み位置からのオンサイト展開に起因する機械的欠陥、変形および他の機械的構成の不完全性により損なわれることがある。主反射鏡の不完全性は、例えば、宇宙空間で展開されるときに、反射鏡が経験する急峻で大きな温度変化に起因して、宇宙塵もしくは石礫に衝突されたことに起因して、または宇宙船の残骸からの打撃に起因しても生じうる。展開後のかかる主反射鏡の保守は、非常に難しいか、またはまったく不可能なこともある。
【００３３】
アンテナアセンブリ、例えば、アンテナアセンブリ１００または１００Ａの総合性能は、本発明の実施形態によれば、主反射鏡の不完全性を補償するために、副反射鏡、例えば、副反射鏡１０２の具体的な凹形状を操作することによって取り扱われてもよい。主反射鏡の不完全性が様々な方法で位置特定、測定、仮定または評価されてもよい。例えば、製造された主反射鏡の湾曲を測定し、ずれの位置およびずれの特質の記録をとることによって、計画された湾曲からのその湾曲のずれを見つけてマッピングするために、アンテナアセンブリの主反射鏡が製造後に測定されてもよい。別の実施形態によれば、折り畳まれて、設置位置へ輸送され、その後に展開されるようにされた主反射鏡に予想される不完全性は、折り畳まれて、輸送に特徴的な損傷を受け、その後に展開されてもよく、これらの動作のすべては、主反射鏡が生産されるところで局所的に発生してもよい。アンテナアセンブリが、例えば、宇宙空間で展開するようにされたケースでは、主反射鏡が非常に低い空気圧および無重量もシミュレートした施設内で展開されてもよい。主反射鏡が展開された後に、その不完全性が評価および／または測定されてもよい。例えば、反射鏡形状の必要な形状からのずれのマップが描かれてもよい。かかる不完全性マップが記録されて、デジタルに記憶されてもよい。このマップは、ずれが見つかった主反射鏡上の位置、およびずれの特質を含んでもよい。いくつかの実施形態によれば、このデジタルに記憶されて不完全性（反射鏡の凹面のその所望の形状からのずれ）のマップが反射鏡不完全性マップ（ＲＩＭ）として定義されてもよい。いくつかの実施形態によれば、入ってくる送信のケースでは、フィードで測定されるアンテナアセンブリの総合性能が欠陥のない主反射鏡を有するアンテナアセンブリにできるだけ近くなるように、ＲＩＭのデータに基づいて、副反射鏡の凹面の形状に必要な変化が算出されてもよい。かかる性能は、受信された送信に対するアンテナアセンブリの最大利得が、完全な形状の主反射鏡を有するアンテナアセンブリによって受信されたであろう利得にできるだけ近いときに達成されてもよい。
【００３４】
この必要条件は、本発明の実施形態によれば、フィードユニットで受信される送信の位相ずれができるだけ少ないか、および／または、受信される送信の交差偏波ができるだけ少ないできるだけ多くの送信電力をフィードユニットの方へ向けるように副反射鏡の凹形状を変形させることによって達成されてもよい。その湾曲を、例えば、主反射鏡における変形に対して必要とされる補正に従って変化させるようになっている、少なくとも１つの副反射鏡を備えるアンテナアセンブリは、アダプティブアンテナシステムと表されることがある。
【００３５】
次に、本発明の実施形態による、その反射鏡の湾曲を動的に変化させるようになっている副反射鏡システム２００の概略斜視図である、図２Ｃが参照される。副反射鏡２００は、アンテナアセンブリ、例えば、アンテナアセンブリ１００（図２Ａおよび２Ｂ）の一部であってもよく、以下に記載されるように、アンテナアセンブリの性能をチューニングするために用いられてもよい。副反射鏡システム２００は、算出された焦点２１５を有する副反射鏡ユニット２１０、および副反射鏡システム２００の外面（凸面）上に取り付けられて、副反射鏡の面を形成する材料を内側（焦点２１５の側）または外側へ移動させることによって反射鏡の湾曲を局所的に変形させるようになっている複数のアクチュエータ（または操作要素）２２０を備えてもよい。アクチュエータ２２０は、副反射鏡２１０の湾曲を必要な方向および距離へ局所的に変形させることが可能な任意の適切なリニアアクチュエータであってもよい。典型的に、アクチュエータ２２０は、電気モータとモータの回転を直線移動へ変換する機械式変速機とを備えてもよい。この目的のために当技術分野で知られた他の手段を用いてもよいことが当業者には明らかであろう。かかる手段に必要とされるのは、制御信号を受信して、副反射鏡の湾曲を正しい量だけ局所的に変形させる、対応する機械的移動を行いうることである。
【００３６】
次に、本発明の実施形態による、図２Ｃの副反射鏡システム２００が反射の方向に局所的に影響を及ぼす方法を概略的に示す、図２Ｄが参照される。例えば、主反射鏡（例えば、主反射鏡１０１または１０１Ａ）から来る送信ライン２０２は、アクチュエータ２２０Ａに接触して位置し、その移動によって局所的に変形するようにされた、位置２１０Ａで副反射鏡２１０に当たる。図２Ｄの例では、アクチュエータ２２０Ａの移動が局所的な変形を生じさせて、到来する送信ライン２０２の反射された送信ライン２０２Ｂが副反射鏡システム２００の焦点２１５からいくぶん離れた方へ向かうようにさせた。
【００３７】
次に、本発明の実施形態による、副反射鏡２００の後側の一組のアクチュエータの配備を概略的に示す図２Ｅ、ならびに、局所的な変形を生じさせて、アクチュエータ２２０Ａの周りに境界線２２０Ｂ内に画定された対応する変形エリアをもたらすためのアクチュエータの動作を概略的に示す図２Ｆおよび２Ｇが参照される。図２Ｅは、副反射鏡システム２００の副反射鏡２１０Ａの後側のアクチュエータ２２０の配備のスキームを呈示する。アクチュエータ２２０は、図２Ｅの例によれば、副反射鏡２１０の中心点を通過する半径線に対応する同心線上の位置に、等しい角度、この例では２２．５度の間隔を置いて、いくつかの同心配置で配備されてもよい。
【００３８】
図２Ｆは、副反射鏡２１０における図２Ｅの線２１０Ａに沿った断面、および副反射鏡２１０の湾曲に対するアクチュエータ２２０Ａの動作の影響を概略的に示す。アクチュエータ２２０Ａは、図２Ｅの例によれば、アクチュエータ２２０の配備スキームの中心円上および半径線２１０Ａ上に位置する。アクチュエータ２２０Ａのアクティブ化は、アクチュエータ２１０Ａによって加えうる最大内側および外側局所変形を概略的に示す線２１０ＣＨ１および２１０ＣＨ２によって記載されるように副反射鏡２１０の湾曲を局所的に変形させてもよい。
【００３９】
例えば、主反射鏡１０１Ａのような主反射鏡から反射された送信ライン２０２の束が副反射鏡２１０の凹表面上の位置２１０Ａに当たってもよい。副反射鏡２１０の湾曲がアクチュエータ２２０Ａのアクティブ化によって変形されてもよい。線２１０ＣＨ１によって概略的に示されるように、アクチュエータ２２０Ａがアクティブ化されて副反射鏡の表面を局所的に内側へ押したときに、副反射鏡２１０の表面の局所的な凸形状に起因して、反射された送信ライン２０２Ｃが局所的な分散バンドルを形成してもよい。線２１０ＣＨ２によって概略的に示されるように、アクチュエータ２２０Ａがアクティブ化されて副反射鏡の表面を局所的に外側へ引いたときには、副反射鏡２１０の表面の局所的な凹形状に起因して、反射された送信ライン２０２Ｂが局所的な焦点２１５Ａに局所的に収束する局所的な合流バンドルを形成してもよい。
【００４０】
図２Ｇは、本発明の実施形態による、アクチュエータ２２０Ａが加えうる局所的な変形の幾何学的寸法を概略的に記載する。アクチュエータ２２０Ａは、点２１０Ａ（図２Ｄも参照）で副反射鏡２１０の外面に取り付けられて、副反射鏡２１０を形成している材料を、それぞれ、最大内側および外側局所変化を指定する、線２１０ＣＨ１および２１０ＣＨ２によって記載されるように、局所的に内側または外側へ押すことによって、副反射鏡２１０の表面を局所的に変形させるようになっていてもよい。内外の局所的変化の範囲は、２２０ＡＤと表され、対応する変形エリアは、境界線２２０Ｂによって画定される。当然のことながら、上記のような局所的な変形を可能にするために、副反射鏡２１０が様々な技術を用いて１つ以上の様々な材料から作られてもよく、これらの技術は、取り付けられたアクチュエータがこの点で反射鏡の面に垂直な方向に副反射鏡の表面を所望の変形の大きさ２２０ＡＤまで局所的に変形させて、その一方で影響されるエリアを２２０Ｂの範囲内に維持することを可能にする。例えば、副反射鏡は、それぞれの主反射鏡の半径の５％〜２０％の範囲である半径を有してもよい。副反射鏡は、フレキシブルな非導電性シート（例えば、プラスチックシート）に覆われるか、もしくは埋め込まれた、動作波長の１０％より小さい孔を有する（例えば、金属でできた）薄い導電性メッシュ、または、フレキシブルな非導電性シート（例えば、プラスチックシート）に覆われた（例えば、金属でできた）薄い導電性シートから作られてもよく、この導電性の薄いシートは、凹形状を最初に受容して、アクチュエータ２２０によって与えられる所要の局所的な変化を許容するのに必要なフレキシビリティを与えるために、その中に作られた薄い切り込みを有してもよい。アクチュエータ２２０Ａの有効移動範囲２２０ＡＤは、±２ｃｍの大きさを有してもよく、影響を受けるエリア２２０Ｂは、５ｃｍの半径、または他の実施形態では、２つの隣接したアクチュエータ間の距離の２倍の半径を有してもよい。２つの隣接したアクチュエータ間の距離は、波長、主反射鏡のサイズによって、および具体的な実施形態のパラメータによって決定づけられる。
【００４１】
本発明のいくつかの実施形態において、アダプティブアンテナシステムは、いくつかの要素、例えば、反射鏡１００または反射鏡のアレイのような、主反射鏡、フィードユニット１０３またはフィード要素１０３のアレイのような、フィード要素を備えるフィードアセンブリ、および副反射鏡１０２／２００または副反射鏡１０２／２００のアレイのような、副反射鏡を備えてもよい。システムは、さらに、コンピューティングデバイス（単数または複数）および随意的にフィードバックデバイス（単数または複数）を備えてもよい。かかるシステムは、その指定された位置に配備されてもよく、フィードバックデバイスは、アンテナが照射の目標とするか、または送信を受信するために向けられる遠隔位置に配備されてもよい。システムの副反射鏡は、例えば、上記のように、主反射鏡への照射またはそれからの照射を調節するためにさらに操作されるようになっていてもよい。
【００４２】
遠隔フィードバックデバイスを伴わない主反射鏡変形の補正
アダプティブアンテナシステムは、宇宙空間に配備された衛星アンテナ、アクセスが難しい位置にある遠隔自動送信局などのように、遠隔位置において、あるいはアダプティブアンテナシステムへのアクセスがそこでは非常に難しく、費用がかかり、もしくは別様に不採算か、または不可能な位置において配備、設置および作動されてもよい。アダプティブアンテナシステムは、いくつかの実施形態によれば、オペレータを伴う少なくとも１つの送信チャネル、責任者、対応する専門家によってアクセス可能な計算設備などを有してもよい。
【００４３】
次に、本発明の実施形態による、それぞれ、遠隔的に動作／制御通信チャネルがない、およびかかる通信チャネルがあるアダプティブアンテナシステムを概略的に示す、図３Ａおよび３Ｂが参照される。図３Ａのアダプティブアンテナシステム３００は、アンテナシステム３１０で受信された信号をコンピューティングユニット３２０へ送り、または送信モードにあるときに、送信信号をコンピューティングユニット３２０からアンテナシステム３１０へ送ることを可能にするために、アンテナシステム３１０、ローカルコンピューティングユニット３２０および通信チャネル３１５を備える。受信モードにあるときには、アンテナシステム３１０が送信３０２を受信してもよく、この送信によって運ばれた信号がフィードユニット３１０Ｃで収集されてもよい。アンテナシステム３１０の副反射鏡３１０Ｂは、図２Ｄ〜２Ｇの副反射鏡システム２００と同じかまたは同様であってもよく、アクチュエータのアレイは、制御信号を受信して副反射鏡３１０Ｂの表面を局所的に変形させるようになっている。アンテナシステム３１０の副反射鏡３１０Ｂのアクチュエータは、図面を曖昧にしないために示されないが、それでもなお明らかなのは、副反射鏡３１０Ｂの性能に対するそれらの動作およびそれらの効果が図２Ｄ〜２Ｇに関して副反射鏡２００およびそのアクチュエータ２２０について先に記載された通りであるということである。副反射鏡３１０Ｂのアクチュエータは、本明細書では３１０ＢＡＣＴと表されることになろう。
【００４４】
コンピューティングユニット３２０は、例えば、中央処理装置プロセッサ（ＣＰＵ：ｃｅｎｔｒａｌ  ｐｒｏｃｅｓｓｉｎｇ  ｕｎｉｔ  ｐｒｏｃｅｓｓｏｒ）、チップまたは任意の適切なコンピューティングもしくは計算デバイスであってもよいコントローラ３２４、オペレーティングシステム３２５、メモリ３２６、メモリに記憶された実行可能なコード、非一時的記憶装置３２７、および入力／出力デバイス３２２を含んでもよい。コントローラ３２４は、本明細書に記載される方法を実施するように、および／または様々なモジュール、ユニットなどとして実行または機能するように構成されてもよい。本明細書の実施形態によるシステムに１つより多いコンピューティングデバイス３２０が含まれてもよく、１つ以上のコンピューティングデバイス３２０がシステムの様々な構成要素として機能してもよい。例えば、メモリ３２６に記憶された実行可能なコードを実行することによって、コントローラ３２４がアンテナシステム３１０の主アンテナにおける変形または欠陥を補正する方法を実施するように構成されてもよい。
【００４５】
オペレーティングシステム３２５は、コンピューティングユニット３２０の動作を調整、スケジュール、仲裁、監督、制御または別様に管理する、例えば、ソフトウェアプログラムの実行をスケジュールするか、あるいはソフトウェアプログラムまたは他のモジュールもしくはユニットが通信することを可能することを伴う、タスクを行うように設計および／または構成された任意のコードセグメント（例えば、上記の実行可能なコードと同様のもの）であってもよく、あるいはそれを含んでもよい。オペレーティングシステム３２５は、市販のオペレーティングシステム、特許で保護されたオペレーティングシステムか、またはそれらの組み合わせであってもよい。
【００４６】
メモリ３２６は、例えば、ランダムアクセスメモリ（ＲＡＭ：Ｒａｎｄｏｍ  Ａｃｃｅｓｓ  Ｍｅｍｏｒｙ）、リードオンリメモリ（ＲＯＭ：ｒｅａｄ  ｏｎｌｙ  ｍｅｍｏｒｙ）、ダイナミックＲＡＭ（ＤＲＡＭ：Ｄｙｎａｍｉｃ  ＲＡＭ）、シンクロナスＤＲＡＭ（ＳＤ−ＲＡＭ：Ｓｙｎｃｈｒｏｎｏｕｓ  ＤＲＡＭ）、ダブルデータレート（ＤＤＲ：ｄｏｕｂｌｅ  ｄａｔａ  ｒａｔｅ）メモリチップ、フラッシュメモリ、揮発性メモリ、不揮発性メモリ、キャッシュメモリ、バッファ、短期メモリユニット、長期メモリユニットまたは他の適切なメモリユニットもしくは記憶ユニットであってもよく、またはそれらを含んでもよい。メモリ１２０は、複数の、場合によっては異なるメモリユニットであってもよく、またはそれを含んでもよい。メモリ１２０は、コンピュータまたはプロセッサ非一時的可読媒体、またはコンピュータ非一時的記憶媒体、例えば、ＲＡＭであってもよい。
【００４７】
実行可能なコードは、任意の実行可能なコード、例えば、アプリケーション、プログラム、プロセス、タスクまたはスクリプトであってもよい。実行可能なコードは、場合によってはオペレーティングシステム３２５の制御下でコントローラ３２４によって実行されてもよい。例えば、実行可能なコードは、本明細書に記載されるように、アンテナシステム３１０の主アンテナにおける欠陥を補償するためのプロセスを管理するアプリケーションであってもよい。本発明の実施形態によるシステムは、上記の実行可能なコードと同様の複数の実行可能なコードセグメントを含んでもよく、これらのコードセグメントがメモリ３２６に読み込まれて、コントローラ３２４に本明細書に記載される方法を実施させてもよい。
【００４８】
本発明の実施形態によれば、アンテナ３１０によって受信された送信３０２がフィードユニット３１０Ｃで収集されてもよく、この送信によって運ばれた信号が通信チャネル３１５を介してコンピューティングユニット３２０へ提供されてもよい。送信３０２における信号は、いくつかの実施形態によれば、送信局での送信の電力を示すデータを運んでもよい。かかるデータが送信されたときに、そのデータがコンピューティングユニット３２０で抽出されて記憶されてもよい。他のケースでは、かかるデータが送信に含められなくともよい。送信局での送信の電力を示すデータが送信されないときには、フィード３１０Ｃにおける受信信号の電力のみに基づくプロセスがコンピューティングユニット３２０によって行われることになろう。一定の送信電力を有する送信３２０がアンテナシステム３１０で受信されると仮定して、フィード３１０Ｃにおいて収集された信号がコンピューティングユニット３２０へ通信される。
【００４９】
アンテナシステム３１０の総合性能を示す情報がフィード３１０Ｃで受信された信号の電力以外に何もなければ、コンピューティングデバイス３２０が以下のプロセスを行ってもよい。信号がフィード３１０Ｃで受信されて、コンピューティングユニット３２０へ通信されたときに、信号の電力ＳＩＧＰ０が記録される。次のステップでは、アクチュエータのアレイ３１０ＢＡＣＴから第１のアクチュエータ３１０ＢＡＣＴ１が選択されて、副反射鏡３１０Ｂの湾曲を局所的にわずかに変化させるためにコンピューティングシステム３２０が制御信号を送る。変化は、１／Ｎほどと小さくてもよく、ここでＮは、アクチュエータ・アレイ３１０ＢＡＣＴからのアクチュエータによって行われてもよい個別ステップの数である。いくつかの実施形態において、かかるステップの値は、２２０ＡＤ／Ｎであってもよく、この値は、動作波長の１／１００の一般的な必要条件に準拠すべきである。いくつかの実施形態において、Ｎの値は、５０〜５００の範囲内にあってもよい。いくつかの実施形態によれば、この変化（内または外向き）の最初の方向およびその大きさがランダムに選択されてもよい。他の実施形態では、これらの値は、前のかかるプロセス、ならびに前のこれらのプロセス中に加えられた変化の効果に基づいて算出されてもよい。他の実施形態では、これらの値は、コンピューティングユニット３２０のメモリユニットまたは記憶ユニットに予め記憶されてもよい反射鏡不完全性マップ（ＲＩＭ）情報に基づいて算出されてもよい。
【００５０】
フィード３１０Ｃで受信された信号の電力の変化が記憶されて、アクチュエータ３１０ＢＡＣＴ１によって別の変化が行われ、受信信号の電力に対するその効果が再び記憶される。ＰＭＡＸ１と表される最大受信電力が達成されるまでこのプロセスが繰り返されてもよい。アクチュエータ３１０ＢＡＣＴ１の位置が記録されて、ＰＭＡＸ１値と関連付けられる。
【００５１】
１＜ｍ＜Ｍの値のすべてのアクチュエータ３１０ＢＡＣＴｍに対してこのプロセスが繰り返されてもよく、ここでＭは、アクチュエータの数である。このプロセスが終わり、１＜ｍ＜Ｍに対する最終値ＰＭＡＸｍが記録されると、この値のセットは、アンテナシステム３１０に対して更新された最大の最大（ＵＭＯＭ：ｕｐｄａｔｅｄ  ｍａｘ−ｏｆ−ｍａｘ）と表される。アクチュエータの実際の順序が、外側の円に沿って１つずつ選択されて、次に内側の円で再スタートする（本明細書では巡回−外から中心へと表される）か、もしくは中心から外向きに開始する（本明細書では巡回−中心から外と表される）か、または半径線に沿って外から中心へ開始して、次に隣りの半径線を選ぶ（本明細書では半径線−外から中心へと表される）かもしくはその逆（半径線−中心から外へと表される）か、あるいは任意の他のスキームかどうかに係わらず、かかるスキームが、関連付けられた、結果として生じた受信信号電力とともに記憶されるであろうということに気付くであろう。従って、各々のスキームの性能が比較されてもよく、最大受信電力をもたらすスキームが選択されてもよい。
【００５２】
アクチュエータ３１０ＢＡＣＴｍのアクティブ化のスキームが算出または選択されるときに、いくつかの考慮事項が取り入れられてもよい。１つのかかる考慮事項は、位相がずれた送信ラインの影響である。
【００５３】
送信波長がミリメートル範囲内かまたはそれ以下であり、主反射鏡の窪み変形が１ミリメートル以下の大きさのオーダの深さまたは突起を有するときに、主アンテナのこの欠陥エリアから反射された送信ラインは、フィードでは、例えば、主反射鏡上の欠陥のない位置から反射された大多数の受信された送信ラインに対して位相がずれて受信され、その後に、信号の総受信電力の減少をもたらすことがある。
【００５４】
別の例では、主反射鏡上の欠陥位置から反射された送信ラインがアンテナシステムのフィードで受信された送信ラインのいくらかに交差偏波を生じさせて、その後にやはり信号の総受信電力の減少をもたらすことがある。
【００５５】
いくつかの他の例では、両方の現象が同時に生じて、結果としてフィードにおける信号の総受信電力をなおさらに減少させることがある。
【００５６】
ＵＭＯＭ値に到達するための上記のプロセスの計画および／または実行は、より良い結果を受信するために、本明細書ではそれぞれＭＩＮＯＯＰおよびＭＩＮＣＰと表される、各々の最小値を探索することによって位相ずれおよび交差偏波現象の影響を考慮に入れてもよい。
【００５７】
いくつかの実施形態によれば、主反射鏡における欠陥および不完全性の兆候の、アンテナアセンブリから受信された信号からの抽出と関連づけられた計算、ならびに、かかる欠陥を補償するためのアクチュエータへの制御信号の提供は、アンテナアセンブリが配備された位置から遠く離れて行われてもよい。アンテナアセンブリ３１０と同様のアンテナアセンブリ３６０、および通信アダプタ３６２を備えるアンテナ設備３５２を概略的に呈示する、図３Ｂが参照され、通信アダプタ３６２は、アンテナアセンブリ３６０のフィードから遠隔コンピューティングユニット３７０へ信号を転送し、かつ遠隔コンピューティングユニット３７０から信号を受信して、それらをアンテナアセンブリ３６０の副反射鏡のアクチュエータへ転送するようになっている。コンピューティングユニット３７０は、コンピューティングユニット３２０と同様に、コントローラ３７４、オペレーティングシステム３７５、メモリ３７６、メモリまたは記憶装置３７７に記憶された実行可能なコード、および入力／出力デバイス３７２を備えてもよい。通信チャネル３７５は、コンピューティングユニット３７０との間の通信を提供する。コンピューティングユニット３７０は、アンテナ設備３５２から必要なだけ遠隔に位置してもよい。例えば、アンテナ設備が宇宙空間に配備されてもよく、一方でコンピューティングユニット３７０が地上に位置してもよい。かかる配置は、コンピューティングユニット３７０の容易な保守運用に有益でありうるが、一方で図３Ａの配置では、宇宙空間への配備であればかかる保守が容易ではない。
【００５８】
遠隔フィードバックデバイスを用いた主反射鏡変形の補正および所望のフットプリント形成
遠隔的に配備されたアンテナが、例えば、地上の所望のフットプリントを確実に照射するようにするため、および／または、主反射鏡における欠陥および不完全性の位置を特定するために目標エリアにフィードバックデバイスが配備されてもよい。いくつかの１つ以上のフィードバックデバイスが利用されてもよい。本発明の実施形態による、目標エリア４５０上のアンテナ照射のフットプリント４００の例を概略的に呈示する、図４Ａが参照される。アンテナ、例えば、アンテナ３１０または３６０の放射フットプリントは、等放射強度線４０１、４０２および４０３によって呈示されてもよい。線４０１は、例えば、アンテナの放射が第１の強度、例えば６０ｄＢｗである点の幾何学的位置を表してもよい。同様に、線４０２は、アンテナの放射が第２の強度、例えば５８ｄＢｗである点の幾何学的位置を表してもよく、線４０３は、アンテナの放射が第３の強度、例えば５６ｄＢｗである点の幾何学的位置を表してもよい。いくつかのフィードバックデバイスまたは放射センサ４０４が目標エリア４００内に配置されてもよい。センサ４０４の配置の位置の選択は、センサから抽出されると期待される所望の情報を満たすように行われてもよい。一般に、センサ４０４の数および配備スキームは、選択された目標に関して最大の情報を提供するように行われることになろう。図４Ａの例では、センサ４０４の位置がアンテナのフットプリントをその５８ｄＢｗおよび５６ｄＢｗ強度線においてより正確に記述してもよい。センサ４０４から抽出された情報を目標エリア４５０におけるアンテナの実際の性能（ＡＡＰ：ａｎｔｅｎｎａ  ａｃｔｕａｌ  ｐｅｒｆｏｒｍａｎｃｅ）のマップに編集してもよい。
【００５９】
いくつかの実施形態によれば、アンテナアセンブリの総合性能をその目標エリアで測定されるようなその実際の性能に基づいて較正すべく、その主反射鏡に欠陥を有するアンテナの実際の性能をマッピングするためにかかるマップＡＡＰが用いられてもよい。
【００６０】
いくつかの実施形態による較正プロセスでは、遠隔的に配備されたアンテナが目標エリアを照射する（送信する）ように命令されてもよく、フィードバックデバイス４０４が受信された送信電力を測定してもよく、この情報が局所的なＡＡＰに編集されてもよい。このマッピングが、測定されるアンテナがあるところに位置し目標エリア４５０を照射している、欠陥のないアンテナの算出されたフットプリントと比較されてもよい。この比較から、測定されたアンテナの主反射鏡における欠陥の位置および特質が算出されてもよい。この比較は、リモートアンテナに位置するコンピューティングユニットで行われてもよく、またはアンテナから遠く離れて位置するコンピューティングユニットで行われてもよい。これらの算出結果は、測定されたアンテナの副反射鏡のアクチュエータへ通信されることになる補正ベクトルに変換されてもよい。さらなる実施形態では、いくつかの照射フットプリント特性が測定されて、さらなる使用のために記録されてもよい。システムのコンピューティングデバイスが放射フットプリント情報を受信してもよく、さらに、例えば、フーリエ級数および変換ならびにナイキスト−シャノン標本化定理を用いて、主反射鏡における欠陥セクタをさらに計算し、決定して、位置を特定してもよい。
【００６１】
さらなる実施形態によれば、測定されたアンテナの照射フットプリントがフットプリントの形状を成形するために用いられてもよい。例えば、アンテナの送信を必要とするユーザがいない位置へ送信エネルギーが向けられないことを確実にするため、または、認定ユーザがいる所に送信を限定して他の所にいる非認定ユーザへのこの送信を防止するためには、照射アンテナによって自然に形成されるフットプリントからずれるようにフットプリントを成形することが望ましいことがある。
【００６２】
次に、本発明の実施形態による、非修正フットプリント４１０および修正フットプリント４２０を概略的に呈示する、図４Ｂが参照される。フットプリント４１０は、記録をとられた３つの等放射強度線４１６、４１４および４１２を備えてもよく、以下が当てはまる：Ｐｏｗｅｒ４１６＞Ｐｏｗｅｒ４１４＞Ｐｏｗｅｒ４１２。所望の修正フットプリントがフットプリント４２０、ここでＰｏｗｅｒ４２６＞Ｐｏｗｅｒ４２４＞Ｐｏｗｅｒ４２２であるときに、アンテナアセンブリのアクチュエータへ通信するために、所望のフットプリントの実際のフットプリントからのずれを変更命令のベクトルに変換してもよい。例えば、目標エリア４８０が実際のフットプリントの中心点４１０Ａのまわりの複数のセクタへ分割されてもよく、所望のフットプリントの実際のフットプリントからのずれが中心点４１０Ａから延びる半径線に沿って測定される地理的／角度ずれのセットによって表現されてもよい。例えば、「北向きに」延びる半径線に沿って、ずれ４２８Ａは、実際のフットプリント線４１２と所望のフットプリント線４２２との間の局所的な差を示す。「南東向きに」延びる半径線に沿って、ずれ４２８Ｂは、実際のフットプリント線４１２と所望のフットプリント線４２２との間の局所的な差を示す。アンテナアセンブリの副反射鏡のいくつかまたはすべてのアクチュエータの位置を変化させてフットプリントを実際から所望のフットプリントへ修正するために、このようにずれ値のセットが算出されて、次に修正値のベクトルを作り出すために用いられてもよい。
【００６３】
主反射鏡の幾何学的測定結果に基づく主反射鏡変形の補正
アンテナアセンブリの主反射鏡の形状を測定することが可能な幾何学的測定デバイスを用いて、遠隔的に配備されたアンテナアセンブリの主反射鏡の欠陥および不完全性がオンサイトで測定されてもよい。次に、主反射鏡４９２、副反射鏡４９４およびフィード４９６を備え、副反射鏡２００（図２Ｄ〜２Ｇ）のものと同様の副反射鏡特性をもつ、アンテナアセンブリ１００Ａ（図２Ｂ）と同様または同等のアンテナアセンブリ４９０を概略的に呈示する、図４Ｃが参照される。アンテナアセンブリ４９０は、幾何学的測定デバイス４９８をさらに備え、このデバイスは、少なくとも測定デバイス４９８から主反射鏡４９２の内面上の任意の選択点への距離を測定することが可能である。測定デバイス４９８は、主反射鏡４９２の凹表面の選択エリアを手動で（すなわち、アンテナアセンブリ４９０の外部から受信された命令に応答して）、または自動的に（すなわち、アンテナアセンブリ４９０に記憶されるか、および／またはそこで局所的に算出された走査スキームおよび走査命令に従って）走査するように構成されてもよい。選択エリアは、主反射鏡４９２の内面の一部分であってもよく、またはそれに等しくてもよい。主反射鏡４９２の表面の走査および複数の走査点の距離の測定は、主反射鏡の内面の幾何学的形状を表すデータ項目のセットをもたらすことができる。主反射鏡の実際の形状の測定は、例えば、レーザ・レンジ検出器を備える測定デバイス４９８によって行われてもよく、レーザ・レンジ検出器は、所望の方向を狙って、レーザ・レンジ検出器が狙った点の検出器からの距離を受信するようになっている。レーザ・レンジ検出器は、測定されるすべての点に対して照準線が存在する、例えば、フィード４９６の隣／後ろの点に位置してもよい。レンジ検出は、主反射鏡４９２のすべての対象エリアを実質的にカバーする空間セクタ４９８Ｂ内に導くことができる、照準線４９８Ａを有する方向制御型狭ビームレンジ検出器を用いて逐一行われてもよい。走査プロセスの終わりには、各マッピング点の基準点（例えば、デバイス４９８）からの距離に関して主反射鏡の内面の形状がマッピングされる。この情報に基づいて、主反射鏡の欠陥および不完全性が検出されて算出されてもよい。この段階で、先に説明されたように、副反射鏡のいくつかまたはすべてのアクチュエータの移動値を備える補正ベクトルが算出されてもよい。
【００６４】
なおさらなる実施形態によれば、例えば、地上からのブロードキャストが宇宙空間に位置するアンテナによって受信されるときに、アンテナアセンブリに到達する干渉ブロードキャストの望ましくない影響を無くすか、または少なくとも実質的に最小限に抑えるために、副反射鏡、例えば、図２Ｄ〜２Ｇの副反射鏡２００のアクチュエータがアクティブ化されてもよい。干渉ブロードキャストの特質／特性が検出されてもよく、干渉ブロードキャストの電力量がフィードに到達しないか、または少なくともその電力が実質的に最小限に抑えられるように、アクチュエータがアクティブ化されてもよい。アクチュエータの動作のスキームは、いずれか、例えば、図３Ａ〜３Ｂに関して先に考察されたスキームのうちの１つであってもよい。
【００６５】
アンテナアセンブリの性能パラメータのチューニング
本発明の実施形態によれば、アンテナアセンブリ性能のある一定の変化を達成するために、アンテナアセンブリの性能パラメータがチューニングまたは再チューニングされてもよい。次に、性能パラメータを変化させるために遠隔的にチューニングすることが可能なアンテナアセンブリ４０００を概略的に呈示する、図４Ｄが参照される。アンテナアセンブリ４０００は、主反射鏡４０１０、副反射鏡４１００およびフィード４０３０を備える。副反射鏡４１００は、副反射鏡のアンテナ４１１０に接続されたアクチュエータ４１２０を備えてもよい。アクチュエータ４１２０は、その方位および／または位置を基準フレームに対して変化させることによって、反射鏡４１１０を操作するようになっている。アクチュエータ４１２０は、反射鏡４１１０を基準軸Ｓ−Ｎに沿った変化の角度αのヨー移動、および基準軸Ｎ−Ｓに垂直な基準軸Ｅ−Ｗに沿った角度βのピッチ移動で２軸回転中心４１２０Ａの周りに回転させるために、対応する制御信号に応答するようになっていてもよい。アクチュエータ４１２０は、さらに、反射鏡４１１０を基準軸Ｚに沿って動作移動範囲Ｚ’内で移動させるようになっていてもよい。アクチュエータ４１２０は、さらに、反射鏡４１１０を回転軸４１２２の周りに角度θで回転させるようになっていてもよい。本発明の実施形態によれば、アクチュエータ４１２０は、反射鏡４１１０の位置および／または方位を基準フレームに対して先にリストされた変化のうちの１つ以上で変化させるように制御されてもよい。主反射鏡４０１０および／または副反射鏡アセンブリ４１００のいずれにおける欠陥かに係わらず、アンテナアセンブリ４０００の任意の静止位置において、単にアクチュエータ４１２０をアクティブ化して、副反射鏡４１１０の位置または方位のその自由度の１つ以上で変化させることによって、所定の波長の送信を伴うアンテナアセンブリ４０００の性能を変化させてもよい。一実施形態においては、副反射鏡４１１０の位置をＺ軸に沿って変化させて（副反射鏡を主反射鏡４０１０へ近付けるか、またはそれから遠ざけて）もよい。所定の波長でのある一定の目標エリアへの（からの）送信について、アンテナアセンブリ４０００は、この変化のアクティブ化の前には焦点が合っていたと仮定して、副反射鏡４１１０の移動がアンテナアセンブリ４０００の焦点ぼけを生じさせてもよい。リモートアンテナアセンブリからの送信の焦点ぼけは、おそらくはバンド幅の減少を代償として、アンテナアセンブリのカバレッジエリアを拡大する必要があるときに有用かつ望ましいことがある。他の実施形態では、アンテナアセンブリのカバレッジエリアをシフトさせる（すなわち、照射の方向を変化させる）ことが必要なこともある。これは、副反射鏡４１１０の方位をそのジンバル軸Ｎ−ＳおよびＥ−Ｗのうちの少なくとも１つの周りで変化させることによって達成されてもよい。別の実施形態では、ジンバル軸Ｎ−ＳおよびＥ−Ｗの周りのわずかな変化が、副反射鏡４１００の方位の変化による主アンテナ４０１０における欠陥の補正に起因して、アンテナアセンブリ利得に変化をもたらすことがある。
【００６６】
ある一定のスキームに従って副反射鏡のアクチュエータの位置を変化させることによって主反射鏡の変形を補償するためのプロセスは、図５に示されるように、以下の段階を備えてもよく、図５は、本発明の実施形態による、アンテナでの受信信号に基づいて主反射鏡の変形を補償するために副反射鏡のアクチュエータを操作するステップを呈示するフロー図である。ブロック５０２では、アンテナの製造後、配備前に測定される初期変形スキームが受信されてもよい。アンテナへ定常的な送信が提供されて、フィードで信号がキャラクタライズされて記録される（ブロック５０４）。繰り返しプロセスのために分子（numerator）ｎが１にセットされる（ブロック５０６）。受信信号が最大化されるまで副反射鏡の表面を局所的に変形させるためにｎ番目のアクチュエータがアクティブ化されて、アクチュエータがその位置のままにされる（ブロック５０８）。プロセス分子が１つ進められて（ブロック５１０）、すべてのＮ個のアクチュエータがこのプロセスに従ってアクティブ化されるまでプロセスが繰り返される。すべての関与するアクチュエータが設定された後、主反射鏡における欠陥を補償するために副反射鏡でなされた変化を表すチャートにアクチュエータの状況が記録される。
【００６７】
地上のセンサで受信された送信に基づいて主反射鏡の変形を補償するため、または所望のアンテナ照射フットプリントを形成するためのプロセスは、図６に示されるように、以下の段階を備えてもよく、図６は、本発明の実施形態による、副反射鏡のアクチュエータを操作するステップを呈示するフロー図である。送信照射目標エリアにわたって複数の送信センサが配備される（ブロック６０２）。リモートアンテナアセンブリからの送信がアクティブ化されて、配備されたセンサの各々で受信された送信電力が記録される（ブロック６０４）。送信センサの測定結果に基づいて、実際のアンテナ性能および実際のフットプリントが抽出される（ブロック６０６）。実際のフットプリントが所望のフットプリントと比較されて、ずれの記録が算出される（ブロック６０８）。算出されたずれ値およびそれらの位置の記録に基づいて、実際のフットプリントを所望のフットプリントにできるだけ近付けるために、アクティブ化命令が副反射鏡のアクチュエータに与えられる（ブロック６１０）。留意すべきは、所望のフットプリントが、ある実施形態によれば、欠陥のない主反射鏡によって照射されたであろうフットプリントであってもよいが、なお別の実施形態によれば、所望のフットプリントが特別の形状をもつフットプリントであってもよいことである。
【００６８】
本発明のある一定の特徴が本明細書に示され、記載されたが、多くの修正、置換、変更、および均等物を当業者は想起するであろう。それゆえに、理解すべきは、添付される特許請求の範囲が本発明の真の精神の範囲内にあるすべてのかかる修正および変更に及ぶことが意図されることである。
【図１】
2017537582.tif 000003
【図２Ａ】
2017537582.tif 000004
【図２Ｂ】
2017537582.tif 000005
【図２Ｃ】
2017537582.tif 000006
【図２Ｄ】
2017537582.tif 000007
【図２Ｅ】
2017537582.tif 000008
【図２Ｆ】
2017537582.tif 000009
【図２Ｇ】
2017537582.tif 000010
【図３Ａ】
2017537582.tif 000011
【図３Ｂ】
2017537582.tif 000012
【図４Ａ】
2017537582.tif 000013
【図４Ｂ】
2017537582.tif 000014
【図４Ｃ】
2017537582.tif 000015
【図４Ｄ】
2017537582.tif 000016
【図５】
2017537582.tif 000017
【図６】
2017537582.tif 000018
【国際調査報告】
2017537582.tif 000019
2017537582.tif 000020